【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
外部装置からのデータアクセス要求に応じてデータを出力する情報処理装置であって、
前記外部装置がデータアクセスの際に用いる規則情報であって、ユーザによる操作入力の種類とデータの読出し条件との関連を定義した規則情報を前記外部装置から取得する第１取得手段と、
前記外部装置においてフォーカスコンテンツとして表示されているデータの属性情報を含む状態情報を取得する第２取得手段と、
前記規則情報と前記状態情報とに基づいて先読みすべきデータを決定し、決定されたデータを記憶媒体から読出して一時記憶手段に記憶する一時記憶制御手段と、
前記外部装置からデータアクセス要求を受け付けた場合、要求されたデータが前記一時記憶手段に記憶されている場合には該要求されたデータを該一時記憶手段から読出して前記外部装置へ出力し、記憶されていない場合には該要求されたデータを前記記憶媒体から読出して前記外部装置へ出力する出力手段と、を備えることを特徴とする情報処理装置。
【請求項２】
前記規則情報は、操作入力の種類とデータの読出し条件との対応を、データのソート条件ごとに示す情報であり、
前記状態情報は、更に前記外部装置が表示に用いている現在のソート条件を示す情報を含むことを特徴とする請求項１に記載の情報処理装置。
【請求項３】
前記第１取得手段は、前記規則情報を前記外部装置より受信することを特徴とする請求項１に記載の情報処理装置。
【請求項４】
複数種類の規則情報を識別情報に対応させて記憶する記憶手段を更に備え、
前記第１取得手段は、前記外部装置より使用すべき規則情報を示す識別情報を受信し、受信した識別情報に対応する規則情報を前記記憶手段から取得することを特徴とする請求項１に記載の情報処理装置。
【請求項５】
前記状態情報は、前記外部装置においてフォーカスコンテンツとして表示されているデータの属性情報の少なくとも一部であることを特徴とする請求項１に記載の情報処理装置。
【請求項６】
前記状態情報は、前記外部装置が操作入力に関する履歴に基づいて取得したアクセス操作の優先度を示す情報を含み、
前記一時記憶制御手段は、前記先読みすべきデータを、さらに前記優先度を用いて決定することを特徴とする請求項１に記載の情報処理装置。
【請求項７】
前記第２取得手段は、前記データアクセス要求によって要求されたデータをフォーカスコンテンツとし、当該データの属性情報を前記状態情報として取得することを特徴とする請求項１に記載の情報処理装置。
【請求項８】
外部装置よりデータを取得する情報処理装置であって、
データアクセスに用いる規則情報であって、アクセス操作の種類とデータの読出し条件との関連を定義した規則情報を前記外部装置へ通知する通知手段と、
現在フォーカスコンテンツとして表示しているデータの属性情報を含む状態情報を前記外部装置へ送信する送信手段と、
操作入力と前記規則情報に基づいて取得すべきデータの属性を決定し、決定された属性を前記外部装置に送信することにより、前記外部装置から前記アクセス操作に応じたデータを取得する取得手段とを備えることを特徴とする情報処理装置。
【請求項９】
受けつけた操作入力の履歴に基づいて、操作入力の優先度を示す優先度情報を生成する生成手段を更に備え、
前記送信手段は、前記状態情報と前記優先度情報を前記外部装置へ送信することを特徴とする請求項８に記載の情報処理装置。
【請求項１０】
データ蓄積装置とデータアクセス装置を有するデータアクセスシステムであって、
前記データアクセス装置は、
データアクセスの際に用いる規則情報であって、操作入力の種類とデータの読出し条件との関連を定義した規則情報を前記データ蓄積装置へ通知する通知手段と、
現在フォーカスコンテンツとして表示しているデータの属性情報を含む状態情報を前記データ蓄積装置へ送信する送信手段と、
操作入力と前記規則情報に基づいて取得すべきデータの属性を決定し、決定された属性を含むアクセス要求を前記データ蓄積装置に送信することにより、前記データ蓄積装置から前記操作入力に応じたデータを取得する取得手段とを備え、
前記データ蓄積装置は、
前記通知手段により通知された前記規則情報と前記送信手段により送信された前記状態情報とに基づいて先読みすべきデータを決定し、決定されたデータを記憶媒体から読出して一時記憶手段に記憶する一時記憶制御手段と、
前記アクセス要求により要求されたデータが前記一時記憶手段に記憶されている場合には該一時記憶手段から、記憶されていない場合には前記記憶媒体から、該要求されたデータを読出して前記データアクセス装置へ出力する出力手段と、を備える、ことを特徴とするデータアクセスシステム。
【請求項１１】
外部装置からのデータアクセス要求に応じてデータを出力する情報処理装置の制御方法であって、
第１取得手段が、前記外部装置がデータアクセスの際に用いる規則情報であって、ユーザによる操作入力の種類とデータの読出し条件との関連を定義した規則情報を前記外部装置から取得する第１取得工程と、
第２取得手段が、前記外部装置においてフォーカスコンテンツとして表示されているデータの属性情報を含む状態情報を取得する第２取得工程と、
一時記憶制御手段が、前記規則情報と前記状態情報とに基づいて先読みすべきデータを決定し、決定されたデータを記憶媒体から読出して一時記憶手段に記憶する一時記憶制御工程と、
出力手段が、前記外部装置からデータアクセス要求を受け付けた場合、要求されたデータが前記一時記憶手段に記憶されている場合には該要求されたデータを該一時記憶手段から読出して前記外部装置へ出力し、記憶されていない場合には該要求されたデータを前記記憶媒体から読出して前記外部装置へ出力する出力工程と、を有することを特徴とする情報処理装置の制御方法。
【請求項１２】
外部装置よりデータを取得する情報処理装置の制御方法であって、
通知手段が、データアクセスに用いる規則情報であって、アクセス操作の種類とデータの読出し条件との関連を定義した規則情報を前記外部装置へ通知する通知工程と、
送信手段が、現在フォーカスコンテンツとして表示しているデータの属性情報を含む状態情報を前記外部装置へ送信する送信工程と、
取得手段が、操作入力と前記規則情報に基づいて取得すべきデータの属性を決定し、決定された属性を前記外部装置に送信することにより、前記外部装置から前記アクセス操作に応じたデータを取得する取得工程とを備えることを特徴とする情報処理装置の制御方法。
【請求項１３】
請求項１１または１２に記載の情報処理装置の制御方法の各工程をコンピュータに実行させるためのプログラム。
【請求項１４】
請求項１１または１２に記載の情報処理装置の制御方法の各工程をコンピュータに実行させるためのプログラムを格納したコンピュータ読み取り可能な記憶媒体。
【手続補正２】
【補正対象書類名】明細書
【補正対象項目名】０００８
【補正方法】変更
【補正の内容】
【０００８】
上記の目的を達成するための本発明の一態様による情報処理装置は以下の構成を備える。すなわち、
外部装置からのデータアクセス要求に応じてデータを出力する情報処理装置であって、
前記外部装置がデータアクセスの際に用いる規則情報であって、ユーザによる操作入力の種類とデータの読出し条件との関連を定義した規則情報を前記外部装置から取得する第１取得手段と、
前記外部装置においてフォーカスコンテンツとして表示されているデータの属性情報を含む状態情報を取得する第２取得手段と、
前記規則情報と前記状態情報とに基づいて先読みすべきデータを決定し、決定されたデータを記憶媒体から読出して一時記憶手段に記憶する一時記憶制御手段と、
前記外部装置からデータアクセス要求を受け付けた場合、要求されたデータが前記一時記憶手段に記憶されている場合には該要求されたデータを該一時記憶手段から読出して前記外部装置へ出力し、記憶されていない場合には該要求されたデータを前記記憶媒体から読出して前記外部装置へ出力する出力手段と、を備える。